(57)【特許請求の範囲】
【請求項１】
筆記具本体の先細りしたペン先部を挿入するために一端が開口した筒状のキャップ本体と、該キャップ本体に取り付けられたクリップとを備え、該クリップは、キャップ本体に沿うように配置されて基端側が該キャップ本体の他端部に固定されるクリップ本体を備えたクリップ付き筆記具用キャップにおいて、前記クリップは、前記クリップ本体の基端部から該クリップ本体と交差する方向に延出する延出部と、該延出部から前記クリップ本体と同方向又は略同方向に延出した嵌入部と、前記クリップ本体の基端部又は前記延出部から前記クリップ本体の先端側に向けて延出し、前記延出部の延出側で前記クリップ本体に対して間隔をあけて対向する弾性変形可能な弾性片と、該弾性片から前記延出部の延出側で前記嵌入部の延出する方向と交差する方向に突出する抜止用凸部とを備え、前記キャップ本体は、他端部に該キャップ本体の軸線方向で前記嵌入部を嵌脱可能に形成された凹部又は穴からなる被嵌入部と、筆記具本体のペン先部が収容される領域又は該ペン先部が収容される領域よりも他端側の領域を包囲する部位に前記軸線方向と交差する方向で前記抜止用凸部を嵌脱可能に形成された抜止用貫通穴とを備え、前記嵌入部が前記被嵌入部に嵌入された状態で前記抜止用凸部が前記抜止用貫通穴に嵌入し、該抜止用凸部の先端部が前記キャップ本体の内面から内側に突出することで、筆記具本体の他端側をキャップ本体に挿入した際に、該抜止用凸部の先端側が外方に押し出し可能に構成されていることを特徴とするクリップ付き筆記具用キャップ。
【請求項２】
前記キャップ本体は、抜止用貫通穴の周縁部の少なくとも当該キャップ本体の他端側の外面が他端側から抜止用貫通穴に向けて先下りに傾斜した傾斜面で構成されるとともに、  前記クリップは、前記抜止用凸部の先端部が球状または半球状に形成されている請求項１に記載のクリップ付き筆記具用キャップ。
【請求項３】
先細りしたペン先部を一端部に有する軸状の筆記具本体と、筆記具本体のペン先部を覆う筆記具用キャップとを備えた筆記具において、前記筆記具用キャップは、請求項１又は２に記載のクリップ付き筆記具用キャップで構成され、前記筆記具本体は、他端側がキャップ本体に挿入可能に構成されるとともにキャップ本体内に突出する前記抜止用凸部の先端部を外方に押し出し可能に形成されていることを特徴とする筆記具。
【発明の詳細な説明】
【技術分野】
【０００１】
本発明は、筆記具用キャップ及びこれを備えた筆記具に関し、特には、ペン先部を覆うキャップ本体にクリップが取り付けられたクリップ付き筆記具用キャップ及びこれを備えた筆記具に関する。
【背景技術】
【０００２】
従来から、筆記具には、種々タイプのものが提供されているが、筆ペンや、ボールペン、サインペン、万年筆等の筆記具は、何れにおいてもインクが内部に収容された軸状の筆記具本体を備えており、該筆記具本体の少なくとも何れか一方の端部に設けられたペン先部の先端（ペンポイント）にインクを供給できるようになっている。
【０００３】
そして、この種の筆記具には、筆記具本体に対して着脱可能なキャップ（筆記具用キャップ）を備えたものがある。
【０００４】
前記キャップは、一端が開口した筒状のキャップ本体を備えており、該キャップ本体の開口から筆記具本体のペン先部側を挿入することで、キャップ本体が筆記具本体のペン先部を含む先端側をカバーしてペン先部の保護や周辺に対するインクの付着の防止を図るようになっている。
【０００５】
そして、この種の筆記具には、姿勢や配置を維持させるためにクリップを備えたものがあるが、長期に亘ってペン先部を下方に向けた姿勢にすると、ペン先部（ペンポイント）にインクが過剰に供給される虞がある（ペンポイントからインクが垂れる虞がある）ことから、一般的に、キャップを備えた筆記具は、キャップ本体にクリップが取り付けられている。
【０００６】
具体的に説明すると、クリップは、一方向に長手をなすクリップ本体と、該クリップ本体の一端部に連設された連結部とを備えており、クリップ本体がキャップ本体に沿って配置された状態で連結部がキャップ本体の他端部外面に固着されている。
【０００７】
これにより、この種の筆記具は、キャップ本体とクリップ本体との間に挿入した支持対象物（例えば、衣類のポケット等）にクリップ本体の一端側が掛止され、ペン先部が上方に向いた状態で維持できるようになっている（例えば、特許文献１参照）。
【０００８】
そして、クリップは、支持対象物に掛止された状態で、筆記具全体を支える必要があるため、キャップ本体が脱落することのないように、クリップ本体及び連結部がキャップ本体とともに一体成型されたり、連結部がキャップ本体に対して強固に固定されたりしている。
【先行技術文献】
【特許文献】
【０００９】
【特許文献１】特開２０００−２８９３８４号公報
【発明の概要】
【発明が解決しようとする課題】
【００１０】
ところで、市場で流通する一般的な筆記具は、キャップ等の形状や色彩に特徴を持たせることでデザイン性が高められているが、何れも量産されるものであるため、必ずしも使用者の好みにあった態様であるとは言えない。
【００１１】
そのような状況から、筆記具の形態を使用者の好みにあったものに変更したいとの市場の要求がある。特に、キャップに設けられたクリップは、衣類のポケット等に掛止させた状態（筆記具をポケットに入れた状態）で、略全体が外部に露出する（視認可能な状態になる）ものであるため、使用者の好みにあった特徴のあるものに交換したいとの要求が多い。
【００１２】
しかしながら、クリップは、上述の如く、衣類のポケット等の支持対象物に掛止された状態で筆記具全体を支える必要があるため、使用時にキャップ本体が脱落しないようにキャップ本体に対して強固に固定することが必須の要件となる。すなわち、クリップを交換したいとの要求に応じるには、クリップを容易に着脱できるようにする必要があるが、使用時には着脱時とは相反してクリップを強固に固定できる必要がある。
【００１３】
そこで、本発明は、斯かる実情に鑑み、使用時にクリップからキャップ本体が脱落するのを確実に防止できるようにした上で、クリップを好みに応じたものに容易に交換することのできるクリップ付き筆記具用キャップ及びこれを備えた筆記具を提供することを課題とする。
【課題を解決するための手段】
【００１４】
本発明に係るクリップ付き筆記具用キャップは、筆記具本体の先細りしたペン先部を挿入するために一端が開口した筒状のキャップ本体と、該キャップ本体に取り付けられたクリップとを備え、該クリップは、キャップ本体に沿うように配置されて基端側が該キャップ本体の他端部に固定されるクリップ本体を備えたクリップ付き筆記具用キャップにおいて、前記クリップは、前記クリップ本体の基端部から該クリップ本体と交差する方向に延出する延出部と、該延出部から前記クリップ本体と同方向又は略同方向に延出した嵌入部と、前記クリップ本体の基端部又は前記延出部から前記クリップ本体の先端側に向けて延出し、前記延出部の延出側で前記クリップ本体に対して間隔をあけて対向する弾性変形可能な弾性片と、該弾性片から前記延出部の延出側で前記嵌入部の延出する方向と交差する方向に突出する抜止用凸部とを備え、前記キャップ本体は、他端部に該キャップ本体の軸線方向で前記嵌入部を嵌脱可能に形成された凹部又は穴からなる被嵌入部と、筆記具本体のペン先部が収容される領域又は該ペン先部が収容される領域よりも他端側の領域を包囲する部位に前記軸線方向と交差する方向で前記抜止用凸部を嵌脱可能に形成された抜止用貫通穴とを備え、前記嵌入部が前記被嵌入部に嵌入された状態で前記抜止用凸部が前記抜止用貫通穴に嵌入し、該抜止用凸部の先端部が前記キャップ本体の内面から内側に突出することで、筆記具本体の他端側をキャップ本体に挿入した際に、該抜止用凸部の先端側が外方に押し出し可能に構成されていることを特徴とする。なお、ここで「ペン先部」とは、筆記具本体の先端を含む先細りに形成された部分を意味する。
【００１５】
上記構成のクリップ付き筆記具用キャップによれば、嵌入部が被嵌入部に嵌入された状態で、抜止用凸部が抜止用貫通穴に嵌入するように構成されているため、クリップをキャップ本体に対して強固に固定することができる。
【００１６】
具体的には、前記クリップは、延出部からクリップ本体と同方向又は略同方向に延出する嵌入部をキャップ本体の軸線方向で該キャップ本体の被嵌入部に嵌入させることで、被嵌入部に対する嵌入部の嵌脱（嵌入）方向と直交する方向に移動することが規制される。また、前記クリップは、弾性片から前記延出部の延出側で嵌入部の延出する方向と交差する方向に突出する抜止用凸部がキャップ本体の抜止用貫通穴に嵌入することで、被嵌入部に嵌入された嵌入部が外部に抜ける方向に移動することも規制される。これにより、クリップは、キャップ本体の軸線方向の移動が規制されつつ該軸線方向と直交する方向の移動も規制されるため、キャップ本体に対して強固に固定されることになる。
【００１７】
そして、上記構成のクリップ付き筆記具用キャップは、キャップ本体に筆記具本体のペン先部側を挿入したときに、抜止用凸部の先端部が筆記具本体（ペン先部）と干渉することなく筆記具本体のペン先部側を覆うことができる。具体的には、筆記具本体のペン先部が収容される領域を包囲する部位に抜止用貫通穴を形成した場合、該抜止用貫通穴に嵌入した抜止用凸部の先端部はペン先部の収容される空間内に突出することになるが、筆記具本体のペン先部は先細りに形成されているため、キャップ本体に挿入した筆記具本体（ペン先部側）とキャップ本体の内面との間に空間が形成され、該空間内に抜止用凸部の先端部が位置することになる。従って、キャップ本体に対して筆記具本体のペン先部側を挿入しても、抜止用貫通穴に嵌入した抜止用凸部の先端部が筆記具本体に干渉することがないため、抜止用凸部が抜止用貫通穴に嵌入した状態で維持することになる。
【００１８】
また、筆記具本体のペン先部が収容される領域よりも他端側の領域を包囲する部位に抜止用貫通穴を形成した場合、該抜止用貫通穴に嵌入した抜止用凸部の先端部は、ペン先部の収容されない空間内に突出することになるため、キャップ本体に対して筆記具本体のペン先部側を挿入しても、抜止用貫通穴に嵌入した抜止用凸部の先端部が筆記具本体に干渉することがなく、抜止用凸部が抜止用貫通穴に嵌入した状態で維持することになる。
【００１９】
従って、当該クリップ付き筆記具用キャップを筆記具本体に装着した状態でも、クリップがキャップ本体に対して強固に固定された状態で維持することになるため、クリップを支持対象物に掛止させても該クリップからキャップ本体（キャップ本体に装着された筆記具本体）が脱落することはない。
【００２０】
そして、クリップをキャップ本体から取り外す場合、例えば、筆記具本体（ペン先部の形成されていない端部）や棒材等をキャップ本体に挿入し、該キャップ本体の内面から突出する抜止用凸部の先端を挿入した筆記具本体等で外方に押し出すことで、抜止用凸部が外方に向けて移動させる。なお、キャップ本体に挿入した筆記具本体等で抜止用凸部の先端を外方に押す場合、筆記具本体の外周がキャップ本体の内面と干渉するため、抜止用凸部の先端部又は該先端部の一部が抜止用貫通穴内に残ることがあるが、このような場合、キャップ本体の外側にある弾性片を外方に引き上げることで抜止用貫通穴から抜止用凸部が完全に抜けることになる。
【００２１】
このように抜止用凸部が抜止用貫通穴から抜けると、被嵌入部に対する嵌入部の嵌脱方向（嵌入部の延出方向）でのキャップ本体の移動が許容されることになるため、クリップ全体を被嵌入部に対する嵌入部の嵌脱方向（嵌入部の延出方向）に移動させることで、嵌入部が被嵌入部から抜けてクリップ全体がキャップ本体から取り外されることになる。
【００２２】
そして、使用者の好みに応じた新たなクリップをキャップ本体に取り付ける場合、新たなクリップの嵌入部をキャップ本体の被嵌入部に嵌入させるとともに、該クリップの抜止用凸部をキャップ本体の抜止用貫通穴に嵌入させる。すなわち、新たなクリップをキャップ本体に取り付ける際に、弾性片の引き上げ又は抜止用凸部とキャップ本体との干渉で弾性片を弾性変形させた状態で嵌入部を被嵌入部に嵌入させる。そして、抜止用凸部が抜止用貫通穴と対応した配置になったときに、弾性片に対する引き上げを解除するか、或いは、抜止用凸部とキャップ本体との干渉の解除により、弾性片の弾性力（復元力）の作用で抜止用凸部が抜止用貫通穴に嵌入する（押し込まれる）ことになる。これにより、新たなクリップは、被嵌入部に対する嵌入部の嵌入によって該嵌入部の嵌脱方向と直交する方向へ移動することが規制され、抜止用貫通穴に対する抜止用凸部の嵌入によって嵌入部が被嵌入部から抜ける方向に移動することも規制される。
【００２３】
従って、新たなクリップも先のクリップと同様にキャップ本体に対して強固に固定されることになる。そして、新たなクリップにおいても、抜止用貫通穴に嵌入した抜止用凸部の先端部がキャップ本体の内面から内側に突出するが、先のクリップと同様にキャップ本体に筆記具本体のペン先部側を挿入したときに、抜止用凸部の先端部が筆記具本体（ペン先部）と干渉することない。従って、新たなクリップを取り付けたキャップ本体（クリップ付き筆記具用キャップ）を筆記具本体に装着した状態でも、クリップがキャップ本体に対して強固に固定された状態で維持することになるため、クリップを支持対象物に掛止させても該クリップからキャップ本体（キャップ本体に装着された筆記具本体）が脱落することはない。また、上述の工程を得ることでキャップ本体に取り付けた新たなクリップを別のクリップに交換することもできる。
【００２４】
本発明の一態様として、前記キャップ本体は、抜止用貫通穴の周縁部の少なくとも当該キャップ本体の他端側の外面が他端側から抜止用貫通穴に向けて先下りに傾斜した傾斜面で構成されるとともに、前記クリップは、前記抜止用凸部の先端部が球状または半球状に形成されていることが好ましい。このようにすれば、クリップをキャップ本体から取り外す際に、キャップ本体に挿入した筆記具本体（ペン先部の形成されていない端部）や棒材等で抜止用凸部の先端を外方に押しながら嵌入部を被嵌入部から抜くことで、クリップ全体をキャップ本体から取り外すことができる。
【００２５】
具体的には、キャップ本体の内面から突出した抜止用凸部を外方に押した状態で、キャップ本体の他端側の傾斜面が抜止用貫通穴内に残る抜止用凸部の球状又は半球状の先端と接線方向に延びた状態になるため、抜止用凸部の先端を外方に押した状態でクリップ全体を被嵌入部に対する嵌入部の抜き方向に移動させると、抜止用凸部の先端が傾斜面（キャップ本体の内部側にある最も低い位置）に乗り移って該傾斜面上を摺動して外部に出ることになり、これに併せて嵌合部が被嵌合部から抜けることになる。これにより、抜止用凸部を抜止用貫通穴から抜くために弾性体を引き上げるといった作業を行うことなくクリップを簡単に取り外すことができる。
【００２６】
そして、本発明に係る筆記具は、先細りしたペン先部を一端部に有する軸状の筆記具本体と、筆記具本体のペン先部を覆う筆記具用キャップとを備えた筆記具において、前記筆記具用キャップは、上記何れかのクリップ付き筆記具用キャップで構成され、前記筆記具本体は、他端側がキャップ本体に挿入可能に構成されるとともに、キャップ本体内に突出する前記抜止用凸部の先端部を外方に押し出し可能に形成されていることを特徴とする。かかる筆記具によれば、上記何れかのクリップ付き筆記具用キャップを備えているため、使用時にクリップからキャップ本体及び該キャップ本体が装着された筆記具本体が脱落するのを確実に防止できる上に、クリップを好みに応じたものに容易に交換することができる。また、クリップを取り外すための棒材等の道具を別途用意しなくても、筆記具本体でクリップを取り外すことができる。
【発明の効果】
【００２７】
以上のように、本発明の筆記具用クリップ付きキャップによれば、使用時にクリップからキャップ本体が脱落するのを確実に防止できるようにした上で、クリップを好みに応じたものに容易に交換することができるという優れた効果を奏し得る。
【００２８】
また、本発明の筆記具によれば、使用時にクリップからキャップ本体が脱落するのを確実に防止できるようにした上で、クリップを好みに応じたものに容易に交換することができるという優れた効果を奏し得る。
【図面の簡単な説明】
【００２９】
【図１】本発明の一実施形態に係る筆記具の全体斜視図を示す。
【図２】同実施形態に係る筆記具の説明図であって、（ａ）は正面図を示し、（ｂ）は、側面図を示す。
【図３】同実施形態に係る筆記具の断面図を示す。
【図４】同実施形態に係るキャップの分解斜視図を示す。
【図５】同実施形態に係るキャップの部分拡大断面図を示す。
【図６】同実施形態に係るキャップの部分拡大図であって、（ａ）は、キャップ本体にクリップ取外部を挿入する状態を示し、（ｂ）は、クリップ取外部でキャップ本体内に突出した抜止用凸部を外方に押し出す状態を示す。
【図７】本発明の他実施形態に係る筆記具の説明図であって、（ａ）は、他実施形態に係る筆記具の全体断面図を示し、（ｂ）は、（ａ）に示す筆記具のキャップからクリップを取り外す際に用いられるクリップ取外具の断面図を示す。
【図８】本発明のさらに別の実施形態に係るキャップの部分拡大断面図を示す。
【発明を実施するための形態】
【００３０】
以下、本発明の一実施形態について、添付図面を参照しつつ説明する。
【００３１】
本実施形態に係る筆記具は、図１、図２（ａ）、図２（ｂ）及び図３に示す如く、先細りしたペン先部２１２（図３参照）を一端部に有する軸状の筆記具本体２と、筆記具本体２のペン先部２１２を覆う筆記具用キャップ（以下、単にキャップという）３とを備えている。
【００３２】
前記筆記具本体２は、内部にインクが収容されており、該インクをペン先部２１２の先端（図３に示すペンポイントＰ）に供給できるようになっている。具体的に説明すると、前記筆記具本体２は、図３に示す如く、筒状の胴軸２０と、該胴軸２０に挿入されるリフィル２１とで構成されている。
【００３３】
前記胴軸２０は、一端側が開口し、他端側が閉塞している。そして、該胴軸２０は、一端側の内周面に雌ねじ２００が形成されている。また、該胴軸２０は、一端部の外周に周方向に延びて無端環状をなす凹条又は凸条の何れか一方（本実施形態においては、凸条２０１）が形成されている。
【００３４】
前記リフィル２１は、インクを収容したインクタンク部２１０と、該インクタンク部２１０の一端に連設されたインク量調整部２１１と、該インク量調整部２１１に連設されたペン先部２１２とを備えている。
【００３５】
前記インクタンク部２１０及びインク量調整部２１１は、同心をなして連続して形成されている。すなわち、リフィル２１は、インクタンク部２１０とインク量調整部２１１とが一本の軸状をなすように形成されている。これに対し、ペン先部２１２は、先細りに形成されており、インク量調整部２１１と同心をなすように大径側（基端側）がインク量調整部２１１に接続されている。これにより、該リフィル２１は、インクタンク部２１０内のインクを適量でペン先部２１２（ペンポイントＰ）に供給できるようになっている。そして、該リフィル２１は、インクタンク部２１０の外周に雄ねじ２１３が形成されており、該雄ねじ２１３を胴軸２０の内周に形成された雌ねじ２００と螺合させることで、胴軸２０と連結できるようになっている。
【００３６】
本実施形態に係る筆記具本体２は、上述の如く、リフィル２１のインクタンク部２１０の外周に形成された雄ねじ２１３と胴軸２０の一端側の内周面に形成された雌ねじ２００とを螺合させるため、ペン先部２１２及びインク量調整部２１１が胴軸２０の一端から外方に延出した態様になっている。
【００３７】
そして、本実施形態に係る筆記具本体２は、他端側がキャップ３の後述するキャップ本体３０に挿入可能に形成されており、キャップ３が備える後述のクリップ３１を取り外すためのクリップ取外部２１４が他端部に設けられている。
【００３８】
かかるクリップ取外部２１４は、胴軸２０の他端側と同径又は略同径に形成されており、該胴軸２０の他端に同心で連設されている。本実施形態に係るクリップ取外部２１４は、筒状のキャップ本体３０と該キャップ本体３０内に設けられた後述のペン先保護筒部３０５との間に形成される環状の隙間に挿入可能に形成されている。すなわち、本実施形態に係るクリップ取外部２１４は、筒状に形成されており、外径がキャップ本体３０の内径よりも僅かに小さく設定され、キャップ本体３０とペン先保護筒部３０５との間に挿入できる肉厚に設定されている。
【００３９】
そして、クリップ取外部２１４は、キャップ本体３０の内面から内側に突出する後述の抜止用凸部３１４に干渉して該抜止用凸部３１４を外方に押し出せるように外径が設定されている。なお、クリップ取外部２１４の先端の外周縁部は全周に亘って丸みが付けられるか面取りされ（本実施形態においては丸みが付けられている）、前記抜止用凸部３１４に対して横方向（該抜止用凸部３１４の突出方向に対して交差方向）から接触したときに、抜止用凸部３１４の突出方向に対して交差方向に該抜止用凸部３１４を持ち上げる力が作用するようになっている。
【００４０】
前記キャップ３は、図１乃至図３に示す如く、筆記具本体２の先細りしたペン先部２１２を挿入するために一端が開口した筒状のキャップ本体３０と、該キャップ本体３０に取り付けられたクリップ３１とを備えており、図４に示す如く、該クリップ３１が交換可能に構成されている。
【００４１】
前記キャップ本体３０は、上述の如く、一端が開口するのに対し、他端部が閉塞しており、該他端部の外面が球面状に形成されている。そして、該キャップ本体３０は、図３に示す如く、一端部の内周面に周方向に延びて無端環状をなす凹条又は凸条の何れか他方（本実施形態においては凹条３００）が形成されている。これにより、本実施形態に係る筆記具１は、筆記具本体２のペン先部２１２側をキャップ本体３０に挿入したときに、筆記具本体２（胴軸２０）の凹条又は凸条の何れか一方（本実施形態においては凸条２０１）とキャップ本体３０の凹条又は凸条の何れか他方（本実施形態においては凹条３００）とが嵌合するようになっている。すなわち、本実施形態に係る筆記具１は、キャップ３と筆記具本体２とをクリック接続できるようになっている。
【００４２】
そして、該キャップ本体３０は、図４及び図５に示す如く、他端から一端側に窪んだ凹部からなる被嵌入部３０１，３０１が形成されている。本実施形態にキャップ本体３０は、前記被嵌入部３０１，３０１が当該キャップ本体３０の軸線（中心線）を挟んで一対形成されている。一対の被嵌入部３０１，３０１は、キャップ本体３０の軸線方向から見てそれぞれ円弧状をなしており、キャップ本体３０の軸線上に曲率中心が設定されている。
【００４３】
本実施形態に係るキャップ本体３０は、図４に示す如く、外面に他端部から周壁にまで延びる帯状溝３０２が形成されている。これに伴い、前記一対の被嵌入部３０１，３０１は帯状溝３０２の長手方向に間隔をあけて帯状溝３０２内に位置するように形成されている。本実施形態に係るキャップ本体３０は、他端部にある帯状溝３０２にクリップ３１の後述する延出部３１１が嵌入され、周壁に延びた帯状溝３０２に後述する弾性片３１３が嵌入されるようになっている（図１参照）。
【００４４】
また、本実施形態に係るキャップ本体３０は、図４及び図５に示す如く、筆記具本体２のペン先部２１２が収容される領域を包囲する部位に該キャップ本体３０の軸線方向と交差（本実施形態においては直交）する方向で貫通した抜止用貫通穴３０３を備えている。該抜止用貫通穴３０３は、後述する抜止用凸部３１４を嵌脱可能に形成されている。
【００４５】
そして、キャップ本体３０は、抜止用貫通穴３０３の周縁部の少なくとも当該キャップ本体３０の他端側の外面が前記他端側から抜止用貫通穴３０３に向けて先下りに傾斜した傾斜面３０４で構成される。本実施形態においては、抜止用貫通穴３０３の穴径に対応した幅でキャップ本体３０の他端側から抜止用貫通穴３０３に向けてスロープ状に形成されている。本実施形態に係るキャップ本体３０は、上述の如く、帯状溝３０２内に抜止用貫通穴３０３が形成されているため、前記傾斜面３０４が帯状溝３０２の底面上に形成されている。
【００４６】
本実施形態に係るキャップ本体３０は、図３に示す如く、筆記具本体２のインク量調整部２１１とペン先部２１２とを収容できるように形成されている。これに伴い、キャップ本体３０は、インク量調整部２１１を収容する一端側の内径がペン先部２１２を収容する他端側の内径よりも大径に設定されている。すなわち、本実施形態に係るキャップ本体３０は、一端側で大径穴Ｈ１を画定し、他端側で小径穴Ｈ２を画定している。
【００４７】
そして、該キャップ本体３０は、図５に示す如く、大径穴Ｈ１と小径穴Ｈ２との間に形成される境界面（段差）に対して小径穴Ｈ２と同径の内径に設定されたペン先保護筒部３０５が連設されている。該ペン先保護筒部３０５は、筆記具本体２のペン先部２１２側をキャップ本体３０に挿入した状態で、先細りしたペン先部２１２のテーパー状の外周に先端が当接するように形成されている。これにより、本実施形態に係るキャップ本体３０は、小径穴Ｈ２を画定する内周面及びペン先保護筒部３０５の内周面によって、ペン先部２１２を収容するための空間（ペン先部収容空間）ＰＡを形成し、ペン先保護筒部３０５に対するペン先部２１２の接触で筆記具本体２を位置決めした状態でペン先部収容空間ＰＡ内にペン先部２１２を収容できるようになっている。
【００４８】
前記ペン先保護筒部３０５は、外径がキャップ本体３０の内径よりも小さく設定されている。これにより、ペン先保護筒部３０５の外周面とキャップ本体３０の内周面との間に環状の空間が形成されている。そして、本実施形態に係るキャップ本体３０は、上述の如く、ペン先保護筒部３０５が設けられているため、前記抜止用貫通穴３０３はペン先保護筒部３０５の存在する位置に設けられている。すなわち、抜止用貫通穴３０３は、ペン先保護筒部３０５の外周面とキャップ本体３０の内周面との間に環状の空間に連通するように形成されている。
【００４９】
前記クリップ３１は、キャップ本体３０に沿うように配置されて基端側が該キャップ本体３０の他端部に固定されるクリップ本体３１０を備えている。そして、本実施形態に係るクリップ３１は、クリップ本体３１０に加え、該クリップ本体３１０の基端部から該クリップ本体３１０と交差する方向に延出する延出部３１１と、該延出部３１１からクリップ本体３１０と同方向又は略同方向に延出する嵌入部３１２，３１２と、クリップ本体３１０の基端部又は延出部３１１からクリップ本体３１０の先端側に向けて延出し、前記延出部３１１の延出側でクリップ本体３１０に対して間隔をあけて対向する弾性変形可能な弾性片３１３と、該弾性片３１３から延出部３１１の延出側で嵌入部３１２，３１２の延出する方向と交差（本実施形態においては直交）する方向に突出する抜止用凸部３１４とを備えている。
【００５０】
本実施形態に係るクリップ３１は、樹脂成型品であり、上記構成が一体成型されている。該クリップ３１は、キャップ本体３０に取り付けられた状態で、クリップ本体３１０が基端側よりも先端側でキャップ本体３０の外面に接近するように形成されている。
【００５１】
本実施形態に係る延出部３１１は、クリップ本体３１０の基端部に連続して形成されており、キャップ本体３０の帯状溝３０２に嵌入可能に形成されている。そして、本実施形態に係る延出部３１１は、帯状溝３０２に嵌入した状態で外部に露呈する面がキャップ本体３０の他端部の外面と連続する（球面の一部を構成する）ように形成されている（図１参照）。
【００５２】
前記嵌入部３１２，３１２は、キャップ本体３０の被嵌入部３０１，３０１に対して嵌入可能に形成されている。そして、本実施形態に係る嵌入部３１２，３１２は、上述の如く、キャップ本体３０に対して一対の被嵌入部３０１，３０１が形成されているため、これに対応するように互いに間隔をあけて一対設けられている。また、一対の嵌入部３１２，３１２のそれぞれは、延出方向から見た断面形状が被嵌入部３０１，３０１と対応して円弧状に形成されている（図４参照）。そして、各嵌入部３１２，３１２は、被嵌入部３０１，３０１に嵌入できるように、共通の一点が曲率中心に設定されており、被嵌入部３０１，３０１の曲率半径と同一の曲率半径に設定されている。
【００５３】
本実施形態に係る弾性片３１３は、延出部３１１に延設されている。すなわち、弾性片３１３は、延出部３１１におけるクリップ本体３１０に対する接続位置と嵌入部３１２，３１２の突設位置との間から延出している。該弾性片３１３は、前記延出部３１１をキャップ本体３０の他端部にある帯状溝３０２に嵌入した状態でキャップ本体３０の周壁上にある帯状溝３０２に嵌入可能に形成されている。弾性片３１３は、薄板状に形成され、厚み方向に弾性変形可能になっている。これにより、弾性片３１３は、前記帯状溝３０２に嵌入した状態で厚み方向に弾性変形することで先端側がキャップ本体３０から離間できるようになっている。
【００５４】
前記抜止用凸部３１４は、キャップ本体３０の抜止用貫通穴３０３に嵌入可能に形成されている。そして、本実施形態に係る抜止用凸部３１４は、前記抜止用貫通穴３０３に嵌入した状態で先端部がキャップ本体３０の内面から内側に突出するように形成されている。そして、該抜止用凸部３１４は、キャップ本体３０の内面から内部側に突出する先端部が半球状に形成されている。すなわち、抜止用凸部３１４は、先端部が丸みをもって形成されている。
【００５５】
なお、前記クリップ３１は、キャップ３に取り付けられた標準のものであるが、交換の対象とされるクリップ３１においても上記構成を備えており、例えば、クリップ３１全体の色彩、クリップ本体３１０の形態がデザイン化されたり、クリップ３１の外面にキャラクター等の装飾体が取り付けられたりしている。
【００５６】
本実施形態に係る筆記具１は、以上の構成からなり、前記キャップ３において、延出部３１１からクリップ本体３１０と同方向又は略同方向に延出する嵌入部３１２，３１２を被嵌入部３０１，３０１に嵌入した状態で、弾性片３１３から延出部３１１の延出側で嵌入部３１２，３１２の延出する方向と交差する方向に突出する抜止用凸部３１４が抜止用貫通穴３０３に嵌入するように構成されている。これにより、本実施形態に係る筆記具１（キャップ３）は、クリップ３１をキャップ本体３０に対して強固に固定することができるようになっている。
【００５７】
具体的には、前記クリップ３１は、延出部３１１からクリップ本体３１０と同方向又は略同方向に延出する嵌入部３１２，３１２を、キャップ本体３０の軸線方向で被嵌入部３０１，３０１に嵌入させるため、クリップ３１が被嵌入部３０１，３０１の嵌脱方向と直交する方向へ移動することが規制される。
【００５８】
また、この状態において、弾性片３１３から延出部３１１の延出側で嵌入部３１２，３１２の延出する方向と交差する方向に突出する抜止用凸部３１４が抜止用貫通穴３０３に嵌入されるため、クリップ３１は、嵌入部３１２，３１２が被嵌入部３０１，３０１から抜ける方向に移動することも規制される。これにより、クリップ３１は、キャップ本体３０に対して強固に固定されることになる。
【００５９】
そして、本実施形態に係るキャップ３は、抜止用貫通穴３０３に嵌入した抜止用凸部３１４の先端部がキャップ本体３０の内面から内側に突出するように構成されているため、キャップ本体３０に筆記具本体２のペン先部２１２側を挿入したときに、抜止用凸部３１４の先端部が筆記具本体２（ペン先部２１２）と干渉することなくペン先部２１２を覆うことができる。すなわち、筆記具本体２のペン先部２１２は先細りに形成されるため、キャップ本体３０に挿入した筆記具本体２（ペン先部２１２側）とキャップ本体３０の内面との間に空間が形成されることになる。
【００６０】
従って、キャップ本体３０に対して筆記具本体２のペン先部２１２を挿入しても、抜止用貫通穴３０３に嵌入した抜止用凸部３１４の先端部が筆記具本体２に干渉することがないため、抜止用凸部３１４が抜止用貫通穴３０３に嵌入した状態で維持することになる。これにより、本実施形態に係る筆記具１は、キャップ３を筆記具本体２に装着した状態でも、クリップ３１がキャップ本体３０に対して強固に固定された状態で維持することになるため、クリップ３１を支持対象物（図示しない）に掛止させても該クリップ３１からキャップ本体３０及び該キャップ本体３０を装着した筆記具本体２が脱落することはない。
【００６１】
そして、クリップ３１をキャップ本体３０から取り外す場合、図６（ａ）に示す如く、筆記具本体２の他端側をキャップ本体３０に挿入する。そうすると、筆記具本体２の他端部に設けられたクリップ取外部２１４がキャップ本体３０の内面とペン先保護筒部３０５との間に進入する。そうすると、図６（ｂ）に示す如く、クリップ取外部２１４がキャップ本体３０の内面から突出した抜止用凸部３１４と干渉し、その干渉力の作用で抜止用凸部３１４が外方に押し出される。このとき、抜止用凸部３１４の先端部が抜止用貫通穴３０３内に残ることになるが、本実施形態に係るキャップ本体３０は、他端側から抜止用貫通穴３０３に向かって先下りした傾斜面３０４が形成されているため、抜止用凸部３１４を外方に押した状態で、クリップ３１全体をキャップ本体３０の軸線方向に移動させることで、図４に示す如く、クリップ３１全体を取り外すことができる。
【００６２】
具体的には、図６（ｂ）に示す如く、クリップ取外部２１４でキャップ本体３０の内面から突出した抜止用凸部３１４を外方に押した状態で、キャップ本体３０の他端側の傾斜面３０４が抜止用貫通穴３０３内に残る抜止用凸部３１４の半球状の先端と接線方向に延びた状態になるため、抜止用凸部３１４の先端を外方に押した状態で嵌入部３１２，３１２を被嵌入部３０１，３０１から抜こうとする（クリップ３１全体を移動させようとする）と、抜止用凸部３１４の先端が傾斜面３０４（キャップ本体３０の内部側にある最も低い位置）に乗り移り、抜止用貫通穴３０３から抜止用凸部３１４が完全に出た状態になって抜止用貫通穴３０３に対する抜止用凸部３１４の嵌入が解除される。
【００６３】
このように抜止用貫通穴３０３に対する抜止用凸部３１４の嵌入が解除されることで、被嵌入部３０１，３０１に対する嵌入部３１２，３１２の嵌入方向へのキャップ本体３０の移動が許容されることになる。
【００６４】
そして、引き続きクリップ３１全体を移動させると、抜止用凸部３１４の先端が弾性片３１３の弾性力の作用で傾斜面３０４に押しつけられた状態で該傾斜面３０４上を摺動する。このとき、抜止用凸部３１４の先端が傾斜面３０４の傾斜に対応して徐々に外側に移動することになるが、その移動に対応して弾性片３１３が弾性変形することで抜止用凸部３１４の変位が許容される。そして、クリップ３１全体を移動させ続けることで、嵌入部３１２，３１２が被嵌入部３０１，３０１から完全に抜け、クリップ３１がキャップ本体３０から完全に取り外されることになる（図４参照）。
【００６５】
そして、使用者の好みに応じた新たなクリップ３１（例えば、クリップ３１の色彩が異なるものや、クリップ本体３１０が特徴的な形態にデザイン化されたもの等）をキャップ本体３０に取り付ける場合、新たなクリップ３１の嵌入部３１２，３１２をキャップ本体３０の被嵌入部３０１，３０１に嵌入しつつ、該クリップ３１の抜止用凸部３１４をキャップ本体３０の抜止用貫通穴３０３に嵌入する。このように新たなクリップ３１の嵌入部３１２，３１２をキャップ本体３０の被嵌入部３０１，３０１に嵌入させる際（クリップ３１全体をキャップ本体３０側に移動させる際）、抜止用凸部３１４とキャップ本体３０との干渉で弾性片３１３が弾性変形し、その弾性力で抜止用凸部３１４がキャップ本体３０の外面（帯状溝３０２の底面）に押さえ付けられながら移動する。
【００６６】
そして、抜止用凸部３１４が抜止用貫通穴３０３と対応した配置になったときに、抜止用凸部３１４とキャップ本体３０との干渉の解除により、図５に示す如く、弾性片３１３の弾性力（復元力）の作用で抜止用凸部３１４が抜止用貫通穴３０３に嵌入する（押し込まれる）ことになる。これにより、新たなクリップ３１は、被嵌入部３０１，３０１に対する嵌入部３１２，３１２の嵌入で、嵌入部３１２，３１２の嵌脱方向と直交する方向への移動が規制されるとともに、抜止用貫通穴３０３に対する抜止用凸部３１４の嵌入で、嵌入部３１２，３１２の嵌脱方向への移動も規制されることになる。
【００６７】
これにより、新たなクリップ３１もキャップ本体３０に対して強固に固定されることになる。そして、新たなクリップ３１においても、抜止用貫通穴３０３に嵌入した抜止用凸部３１４の先端部がキャップ本体３０の内面から内側に突出するが、筆記具本体２のペン先部２１２は先細りに形成され、キャップ本体３０に挿入した筆記具本体２（ペン先部２１２側）とキャップ本体３０の内面との間に空間が形成されることになるため、キャップ本体３０に筆記具本体２のペン先部２１２側を挿入したときに、抜止用凸部３１４の先端部が筆記具本体２（ペン先部２１２）と干渉することがない。
【００６８】
従って、新たなクリップ３１を取り付けたキャップ本体３０（キャップ３）を筆記具本体２に装着した状態でも、クリップ３１がキャップ本体３０に対して強固に固定された状態で維持することになるため、クリップ３１を支持対象物に掛止させても該クリップ３１からキャップ本体３０（キャップ本体３０に装着された筆記具本体３１）が脱落することはない。また、上述の工程を得ることでキャップ本体３０に取り付けた新たなクリップ３１を別のクリップ３１に交換することもできる。
【００６９】
以上のように、本実施形態に係る筆記具１が備えるキャップ３は、使用時にクリップ３１からキャップ本体３０（及び筆記具本体２）が脱落するのを確実に防止できるようにした上で、クリップ３１を好みに応じたものに容易に交換することができるという優れた効果を奏し得る。
【００７０】
また、本実施形態に係る筆記具１は、クリップ３１を取り外すための部材を別途用意しなくても、筆記具本体２を用いてキャップ３のクリップ３１を容易に取り外すことができる。
【００７１】
なお、本発明は、上記実施形態に限定されるものではなく、本発明の要旨を逸脱しない範囲で適宜変更可能であることは勿論のことである。
【００７２】
上記実施形態において、筆記具本体２及びキャップ３を備えた筆記具１について説明したが、これに限定されるものではなく、キャップ３のみを交換部品として独立したものにしても勿論よい。この場合、色彩や形態を異にするキャップ本体３０を用意しておくことで、クリップ３１のみならず、キャップ３全体を使用者の好みに応じたものにすることができる。
【００７３】
上記実施形態において、筆記具本体２の胴軸２０の他端部を閉塞し、該他端部にクリップ取外部２１４を連設したが、これに限定されるものではなく、例えば、筆記具本体２にクリップ取外部２１４を設けることなく、図７に示す如く、別途用意した道具（クリップ取外具）Ｔを用意してもよい。従って、筆記具本体２の胴軸２０は、他端部が閉塞したものに限定されるものではなく、同図に示す如く、胴軸２０の他端を開口させ、挿入したリフィル２１を胴軸２０の他端から延出させたものであってもよい。
【００７４】
上記実施形態において、クリップ３１に一対の嵌入部３１２，３１２を設けるとともにキャップ本体３０に一対の被嵌入部３０１，３０１を設けたがこれに限定されるものではなく、嵌入部３１２，３１２及び被嵌入部３０１，３０１は、一つ以上あればよい。また、嵌入部３１２，３１２は延出方向から見た断面形状が円弧状に形成されたものに限定されるものではなく、例えば、嵌入部３１２，３１２は、延出方向から見た断面形状を円形状、円環状、多角形状等の種々の形状にしてもよい。そして、被嵌入部３０１，３０１は、嵌入部３１２，３１２の断面形状に対応させることを前提に、断面形状を円形状、円環状、多角形状等の種々の形状にしてもよい。
【００７５】
上記実施形態において、被嵌入部３０１，３０１を凹部で構成したが、これに限定されるものではなく、例えば、被嵌入部３０１，３０１を貫通穴で構成してもよい。このようにしてもクリップ３１が取り付けられることで、被嵌入部３０１，３０１が閉塞されるため、キャップ本体３０に挿入したペン先部２１２（ペンポイントＰ）のインクが乾燥することはない。
【００７６】
上記実施形態において、キャップ本体３０内にペン先保護筒部３０５を設け、挿入した筆記具本体２のペン先部２１２にペン先保護筒部３０５の先端に当接させることで、筆記具本体２に対する位置決めをするようにしたが、これに限定されるものではなく、例えば、図８に示す如く、キャップ本体３０の内部に小径穴Ｈ２と大径穴Ｈ１とを形成し、小径穴Ｈ２と大径穴Ｈ１との間の段差（小径穴Ｈ２の開口縁）を先細りしたペン先部２１２のテーパー状の外周に当接させるようにしてもよい。この場合、上記実施形態におけるペン先保護筒部３０５がないため、クリップ３１を取り外すためのクリップ取外部２１４（クリップ取外具Ｔ）は、キャップ本体３０に挿入可能で且つキャップ本体３０内に突出した抜止用凸部３１４を押し出し可能な外径であれば、中実であっても環状（筒状）であっても何れでもよい。
【００７７】
上記実施形態において、クリップ３１の弾性片３１３を延出部３１１に延設したが、これに限定されるものではなく、例えば、クリップ本体３１０に弾性片３１３を延設してもよい。この場合、弾性片３１３は、基端側をクリップ本体３１０から徐々に離間するように傾斜させ、その傾斜した部分よりも先端側をクリップ本体３１０と所定の間隔をあけてまっすぐ延びるように形成し、このまっすぐ延びた部分に抜止用凸部３１４を凸設すればよい。
【００７８】
上記実施形態において、キャップ本体３０の他端側から抜止用貫通穴３０３に向けて該抜止用貫通穴３０３の穴径に対応する幅で傾斜面を形成したが、これに限定されるものではなく、例えば、抜止用貫通穴３０３の周囲全周に傾斜面（テーパー面）を形成してもよい。
【００７９】
また、抜止用貫通穴３０３の周囲に傾斜面３０４を形成したものに限定されるものではなく、例えば、キャップ本体３０に対して単に抜止用貫通穴３０３を穿設しただけのものであってもよい。この場合、キャップ本体３０の内面から突出する抜止用凸部３１４の先端を外方に押したときに、抜止用凸部３１４の先端部が抜止用貫通穴３０３内に残ることになるが、このような場合、キャップ本体３０の外側にある弾性片３１３を外方に引き上げることで抜止用貫通穴３０３から抜止用凸部３１４が完全に抜くことができ、クリップ３１全体を移動させてキャップ本体３０から取り外すことができる。このように、傾斜面３０４を設けなくてもクリップ３１を取り外すことができるが、上述の如く、クリップ３１の取り外し作業を行う際に弾性片３１３を引き上げる必要があるため、取り外しのし易さを考慮すれば、上記実施形態と同様に傾斜面３０４を設けることが好ましいことは言うまでもない。
【符号の説明】
【００８０】
１…筆記具、２…筆記具本体、３…キャップ（クリップ付き筆記具用キャップ）、２０…胴軸、２１…リフィル、３０…キャップ本体、３１…クリップ、２００…雌ねじ、２０１…凸条、２１０…インクタンク部、２１１…インク量調整部、２１２…ペン先部、２１３…雄ねじ、２１４…クリップ取外部、３００…凹条、３０１…被嵌入部、３０２…帯状溝、３０３…抜止用貫通穴、３０４…傾斜面、３０５…ペン先保護筒部、３１０…クリップ本体、３１１…延出部、３１２…嵌入部、３１３…弾性片、３１４…抜止用凸部、Ｈ１…大径穴、Ｈ２…小径穴、Ｐ…ペンポイント、ＰＡ…ペン先部収容空間
【図１】
0005470173.tif 000002
【図２】
0005470173.tif 000003
【図３】
0005470173.tif 000004
【図４】
0005470173.tif 000005
【図５】
0005470173.tif 000006
【図６】
0005470173.tif 000007
【図７】
0005470173.tif 000008
【図８】
0005470173.tif 000009